(57)【要約】【課題】新たなセンサを設けることなくフレアが発生することを警告する撮像装置を提供する。【解決手段】デジタル画像データ生成手段により光学部材を介して結像される被写体像を撮像素子によって撮像し、光電変換して得られるアナログ画像信号をＡＤ変換してデジタル画像データを生成し、輝度測定手段により前記デジタル画像データにより示される矩形の被写体像に基づき輝度を測定し、フレア判断手段により測定された輝度に基づいてフレアが発生しているか否かを判断し（ステップ１０１〜１０６）、警告表示手段によりフレアが発生していると判断された場合に、フレアが発生していることを示す警告を表示する（ステップ１０７）。【選択図】図５
2008035255.tif 000002
【特許請求の範囲】
【請求項１】
光学部材を介して結像される被写体像を撮像素子によって撮像し、光電変換して得られるアナログ画像信号をＡＤ変換してデジタル画像データを生成するデジタル画像データ生成手段と、
前記デジタル画像データにより示される矩形の被写体像に基づき輝度を測定する輝度測定手段と、
前記輝度測定手段により測定された輝度に基づいてフレアが発生しているか否かを判断するフレア判断手段と、
前記フレア判断手段によりフレアが発生していると判断された場合に、フレアが発生していることを示す警告を表示する警告表示手段と、
を有する撮像装置。
【請求項２】
前記輝度測定手段は、前記デジタル画像データにより示される該被写体像の周辺部を含む第１の領域、及び該第１の領域に囲まれた第２の領域に分割し、更に前記第１の領域、及び前記第２の領域をそれぞれ複数の小領域で区分して、該小領域毎の輝度を測定し、
前記フレア判断手段は、
前記第１の領域内の前記小領域で、輝度が予め定められた第１の閾値以上の第１の小領域を抽出する第１の抽出手段と、
前記第１の小領域に対して前記矩形のいずれかの辺と平行な方向に存在する前記第２の領域内の前記小領域のうち、輝度が最も高い第２の小領域を抽出する第２の抽出手段と、
前記第１の小領域の輝度が、前記第２の小領域の輝度以上か否かを判断する輝度判断手段と、
前記輝度判断手段が肯定判断した場合に、前記第１の小領域と前記第２の小領域とを結ぶ直線上に存在する前記第１の領域内の前記小領域のうち、輝度が予め定められた第２の閾値以上の小領域が予め定められた第１の個数以上存在するか否かを判断する第１の個数判断手段と、
前記第１の個数判断手段が肯定判断した場合に、前記直線上に存在する前記第２の領域内の前記小領域のうち、輝度が予め定められた第３の閾値以上の小領域が予め定められた第２の個数以上存在するか否かを判断する第２の個数判断手段と、
を更に有し、
前記フレア判断手段は、前記第２の個数判断手段が肯定判断した場合に、フレアが発生していると判断する請求項１に記載の撮像装置。
【請求項３】
前記輝度測定手段は、前記デジタル画像データにより示される該被写体像の周辺部を含む第１の領域、該第１の領域に囲まれた第２の領域、及び該第２の領域に囲まれた第３の領域に分割し、更に前記第１の領域、前記第２の領域、及び前記第３の領域をそれぞれ複数の小領域で区分して、該小領域毎の輝度を測定し、
前記フレア判断手段は、
前記第１の領域内の前記小領域で、輝度が予め定められた第１の閾値以上の第１の小領域を抽出する第１の抽出手段と、
前記第１の小領域に対して前記矩形のいずれかの辺と平行な方向に存在する前記第２の領域内の小領域のうち、輝度が最も高い第２の小領域を抽出する第２の抽出手段と、
前記第１の小領域の輝度が、前記第２の小領域の輝度以上か否かを判断する第１の輝度判断手段と、
前記輝度判断手段が肯定判断した場合に、前記第１の小領域と前記第２の小領域とを結ぶ直線上に存在し前記第３の領域に接する前記第２の領域内の前記小領域と、前記第２の小領域との間に存在する全ての小領域の輝度が予め定められた第２の閾値以上か否かを判断する第２の輝度判断手段と、
を更に有し、
前記フレア判断手段は、前記第２の輝度判断手段が肯定判断した場合に、フレアが発生していると判断する請求項１に記載の撮像装置。
【請求項４】
前記第１の領域は、前記撮像素子における撮影範囲外の領域として予め定められた領域である請求項２または請求項３に記載の撮像装置。
【発明の詳細な説明】
【技術分野】
【０００１】
本発明は、撮像装置に関し、特にフレアが発生していることを警告する撮像装置に関する。
【背景技術】
【０００２】
近年、デジタルカメラの普及やカメラの機能向上により、見栄えの良い写真は比較的簡単に撮影できるようになっている。しかし、強い光によって写真が白っぽくなったり、光がにじんだりするフレアは依然として発生する。
【０００３】
これは、デジタルカメラや銀塩カメラが共通して有するレンズや、カメラの構造により発生するもので、レンズは何枚かのレンズを組み合わせてひとつのレンズ系を構成しているが、強い光がレンズに入ってくると、それぞれのレンズの表面で反射した光が、レンズ系内部やカメラ内部で複雑に反射することがフレア発生の原因となっている。
【０００４】
そこで、特許文献１には、レンズ部に新たにエリアセンサを設け、そのエリアセンサで光量分布を測光し、測光結果に基づき、撮影画面にフレアが発生する条件のときに警告を出す技術が開示されている。
【特許文献１】特開２０００−１７１８８３号公報
【発明の開示】
【発明が解決しようとする課題】
【０００５】
しかしながら、光量を測光するためのエリアセンサなど、新たなセンサを設けることは、そのセンサのためのコストがかかり好ましくない。
【０００６】
本発明は上記問題点に鑑み、新たなセンサを設けることなくフレアが発生していることを警告することのできる撮像装置を提供することを目的とする。
【課題を解決するための手段】
【０００７】
上記目的を達成するために請求項１に記載の発明は、光学部材を介して結像される被写体像を撮像素子によって撮像し、光電変換して得られるアナログ画像信号をＡＤ変換してデジタル画像データを生成するデジタル画像データ生成手段と、前記デジタル画像データにより示される矩形の被写体像に基づき輝度を測定する輝度測定手段と、前記輝度測定手段により測定された輝度に基づいてフレアが発生しているか否かを判断するフレア判断手段と、前記フレア判断手段によりフレアが発生していると判断された場合に、フレアが発生していることを示す警告を表示する警告表示手段と、を有する。
【０００８】
ここで、請求項１に記載の発明では、デジタル画像データ生成手段により光学部材を介して結像される被写体像を撮像素子によって撮像し、光電変換して得られるアナログ画像信号をＡＤ変換してデジタル画像データを生成し、輝度測定手段により前記デジタル画像データにより示される矩形の被写体像に基づき輝度を測定し、フレア判断手段により測定された輝度に基づいてフレアが発生しているか否かを判断し、警告表示手段によりフレアが発生していると判断された場合に、フレアが発生していることを示す警告を表示するので、撮像装置に必ず備わっている撮像素子を用いて輝度を測定しているため、新たなセンサを設けることなくフレアが発生していることを警告する撮像装置を提供することができる。なお、ＡＤ変換は、アナログ／デジタル変換を示している。また、上記「表示」には、ディスプレイ装置等による可視表示、プリンタ等による永久可視表示、スピーカ等による可聴表示が含まれる。
【０００９】
なお、本発明は請求項２に記載の発明のように、前記輝度測定手段は、前記被写体像の周辺部を含む第１の領域、及び該第１の領域に囲まれた第２の領域に分割し、かつ第１の領域、及び第２の領域はそれぞれ複数の小領域で区分して、該小領域毎の輝度を測定し、前記フレア判断手段は、前記第１の領域内の前記小領域で、輝度が予め定められた第１の閾値以上の第１の小領域を抽出する第１の抽出手段と、前記第１の小領域から前記矩形のいずれかの辺と平行な方向に存在する前記第２の領域内の小領域のうち、輝度が最も高い第２の小領域を抽出する第２の抽出手段と、前記第１の小領域の輝度が、前記第２の小領域の輝度以上か否かを判断する輝度判断手段と、前記輝度判断手段が肯定判断した場合に、前記第１の小領域と前記第２の小領域とを結ぶ直線上に存在する前記第１の領域内の小領域のうち、輝度が予め定められた第２の閾値以上の小領域が予め定められた第１の個数以上存在するか否かを判断する第１の個数判断手段と、前記第１の個数判断手段が肯定判断した場合に、前記直線上に存在する前記第２の領域内の小領域のうち、輝度が予め定められた第３の閾値以上の小領域が予め定められた第２の個数以上存在するか否かを判断する第２の個数判断手段と、を更に有し、前記フレア判断手段は、前記第２の個数判断手段が肯定判断した場合に、フレアが発生していると判断するようにしても良い。
【００１０】
また、本発明は請求項３に記載の発明のように、前記輝度測定手段は、前記被写体像の周辺部を含む第１の領域、該第１の領域に囲まれた第２の領域、及び該第２の領域に囲まれた第３の領域に分割し、かつ第１の領域、第２の領域、及び第３の領域はそれぞれ複数の小領域で区分して、該小領域毎の輝度を測定し、前記フレア判断手段は、前記第１の領域内の小領域で、輝度が予め定められた第１の閾値以上の第１の小領域を抽出する第１の抽出手段と、前記第１の小領域から前記矩形のいずれかの辺と平行な方向に存在する前記第２の領域内の小領域のうち、輝度が最も高い第２の小領域を抽出する第２の抽出手段と、前記第１の小領域の輝度が、前記第２の小領域の輝度以上か否かを判断する第１の輝度判断手段と、前記輝度判断手段が肯定判断した場合に、前記第１の小領域と前記第２の小領域とを結ぶ直線上に存在し前記第３の領域に接する前記第２の領域内の小領域と、前記第２の小領域との間に存在する全ての小領域の輝度が予め定められた第２の閾値以上か否かを判断する第２の輝度判断手段と、を更に有し、前記フレア判断手段は、前記第２の輝度判断手段が肯定判断した場合に、フレアが発生していると判断するようにしても良い。
【００１１】
更に本発明は、請求項４に記載の発明のように、前記第１の領域は、前記撮像素子における撮影範囲外の領域として予め定められた領域であるとしても良い。
【発明の効果】
【００１２】
本発明によれば、新たなセンサを設けることなくフレアが発生することを警告することのできる撮像装置を提供することができるという効果が得られる。
【発明を実施するための最良の形態】
【００１３】
以下、図面を参照して、本発明の実施の形態について詳細に説明する。
【００１４】
まず、図１を参照して、本実施の形態に係るデジタルカメラ１０の外観上の構成を説明する。デジタルカメラ１０の正面には、被写体像を結像させるための光学部材であるレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッターボタン）５６Ａと、電源スイッチ５６Ｂと、が備えられている。
【００１５】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００１６】
そして、デジタルカメラ１０では、レリーズボタン５６Ａを半押し状態にすることによりＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。
【００１７】
一方、デジタルカメラ１０の背面には、前述のファインダ２０の接眼部と、撮影された被写体像やメニュー画面等を表示するための液晶ディスプレイ（以下、「ＬＣＤ」という。）３８と、撮影を行うモードである撮影モード及び撮影によって得られた被写体像をＬＣＤ３８に再生表示するモードである再生モードの何れかのモードに設定する際にスライド操作されるモード切替スイッチ５６Ｃと、が備えられている。
【００１８】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００１９】
なお、十字カーソルボタン５６Ｄは、ＬＣＤ３８の表示領域における上・下・左・右の４方向の移動方向を示す４つの矢印キーを含んで構成されている。
【００２０】
次に、図３を参照して、本実施の形態に係るデジタルカメラ１０の電気系の要部構成を説明する。
【００２１】
デジタルカメラ１０は、前述のレンズ２１を含んで構成された光学ユニット２２と、レンズ２１の光軸後方に配設された撮像素子である電荷結合素子（以下、「ＣＣＤ」という。）２４と、入力されたアナログ信号に対して各種のアナログ信号処理を行うアナログ信号処理部２６と、を含んで構成されている。なお、撮像素子としてＣＭＯＳイメージセンサを用いても良い。
【００２２】
また、デジタルカメラ１０は、入力されたアナログ信号をデジタルデータに変換するアナログ／デジタル（ＡＤ）変換器（以下、「ＡＤＣ」という。）２８と、入力されたデジタルデータに対して各種のデジタル信号処理を行うデジタル信号処理部３０と、を含んで構成されている。
【００２３】
なお、デジタル信号処理部３０は、所定容量のラインバッファを内蔵し、入力されたデジタルデータを後述するメモリ４８の所定領域に直接記憶させる制御も行う。
【００２４】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００２５】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００２６】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００２７】
なお、本実施の形態のデジタルカメラ１０では、メモリ４８としてＶＲＡＭ（Video RAM）が用いられ、メモリカード５２としてスマートメディア（Smart Media(登録商標)）が用いられている。
【００２８】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６や外部メモリインタフェース５０を介したアクセスを各々行うことができる。
【００２９】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３０】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００３１】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ、及び絞り駆動モータは含まれるものであり、これらのモータは各々ＣＰＵ４０の制御によりモータ駆動部３４から供給された駆動信号によって駆動される。
【００３２】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００３３】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００３４】
次に、本実施の形態に係るデジタルカメラ１０の撮影時における全体的な動作について簡単に説明する。
【００３５】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００３６】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００３７】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって所定ビット、例えば８ビットのデジタル画像データを生成する。
【００３８】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。このように、デジタル信号処理部３０は、デジタル画像データにより示される矩形の被写体像に基づいて輝度を導出するものとされており、本発明の輝度測定手段に相当するものである。
【００３９】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００４０】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（例えば、ＪＰＥＧ形式）で圧縮した後に外部メモリインタフェース５０を介してメモリカード５２に記録する。
【００４１】
以上が本実施の形態におけるデジタルカメラ１０の構成及び作用である。次に、本実施の形態に係るデジタルカメラ１０で用いられる各種領域について、図３、図４を用いて説明する。図３は、上記デジタル画像データが示す矩形の被写体像全体と、２つの領域とを示している。同図に示されるように、被写体像は、被写体像の周辺部を含む領域Ａ（図３では白抜き矩形）、及びその領域Ａに囲まれた領域Ｂ（図３では黒い矩形）に分割され、さらに領域Ａ、及び領域Ｂはそれぞれ複数の小領域（図３での最小の矩形、以下ブロックと記す）に区分されている。
【００４２】
一方、図４は、デジタル画像データにより示される矩形の被写体像全体と、３つの領域とを示している。同図に示されるように、被写体像は、被写体像の周辺部を含む領域Ａ（図４では白抜き矩形）、その領域Ａに囲まれた領域Ｂ（図４では黒い矩形）、及びその領域Ｂ６４に囲まれた領域Ｃ６６（図４では斜線が引かれた矩形）に分割され、さらに領域Ａ６２、領域Ｂ６４、及び領域Ｃ６６はそれぞれ複数の小領域（図４での最小の矩形、以下ブロックと記す）に区分されている。
【００４３】
なお、デジタルカメラの中には、撮像素子により撮像された被写体像の領域を、実際に撮影記録される画像よりひとまわり大きくしているものがある。この場合、例えば図３における被写体像全体のうち、領域Ａを除く領域が、実際に撮影記録される画像である。このときの領域Ａが、本発明の撮像素子における撮影範囲外の領域として予め定められた領域に相当する。
【００４４】
次に、レリーズボタン５６Ａが半押し状態とされたときのデジタルカメラ１０の処理を説明する。なお、以下の説明では、図３で示した２つの領域Ａ、Ｂを用いて実行される処理と、図４で示した３つの領域Ａ、Ｂ、Ｃを用いて実行される処理との２つの処理が示されるが、いずれの処理も、デジタル画像データにより示される矩形の被写体像に基づき輝度を測定し、測定された輝度に基づいてフレアが発生しているか否かを判断し、フレアが発生していると判断した場合に、フレアが発生していることを示す警告を表示する処理である。また、この処理は、ＣＰＵ４０が実行する処理である。
【００４５】
まず最初に図３で示した領域を用いて行われる処理を、図５、図６を用いて説明する。なお、図５には当該処理を示すフローチャートが示され、図６には、当該処理での抽出例が示されている。
【００４６】
まず、ＣＰＵ４０は、ステップ１０１で、領域Ａ６２内のブロックで、輝度が予め定められたＸ（第１の閾値）以上のブロックＤ（図６に示す例では、ブロック７２）を抽出する。
【００４７】
次に、ＣＰＵ４０は、ステップ１０２で、ブロックＤに対して矩形のいずれかの辺と平行な方向に領域Ｂ６４内のブロックが存在するか否か判断する。被写体像は、図３に示したように矩形であり、その矩形のいずれかの辺と平行な方向は、本実施の形態の場合、図３及び図６における紙面の上下方向及び左右方向である。
【００４８】
このステップ１０２で、ＣＰＵ４０が否定判断した場合、処理は終了する。これに対し、ステップ１０２で、ＣＰＵ４０が肯定判断した場合に、ステップ１０３で、ＣＰＵ４０は、ブロックＤから上下方向及び左右方向に存在する領域Ｂ内のブロックのうち、輝度が最も高いブロックＥ（図６に示す例では、ブロック７６）を抽出する。
【００４９】
次に、ＣＰＵ４０は、ステップ１０４で、ブロックＤの輝度が、ブロックＥの輝度以上かどうかを判断する。ＣＰＵ４０が否定判断した場合、処理は終了する。ステップ１０４で、ＣＰＵ４０が肯定判断した場合に、ステップ１０５で、ＣＰＵ４０は、ブロックＤとブロックＥとを結ぶ直線上に存在する領域Ａ内のブロックのうち、輝度が予め定められたＹ（第２の閾値）以上のブロック（図６に示す例では、２つのブロック７４）が予め定められたＭ個（第１の個数、図６の場合、Ｍ＝２としている）以上存在するか否かを判断する。
【００５０】
ステップ１０５で、ＣＰＵ４０が否定判断した場合、処理は終了し、肯定判断した場合に、ステップ１０６で、ＣＰＵ４０は、直線上に存在する領域Ｂ内のブロックのうち、予め定められたＺ（第３の閾値）以上の輝度のブロック（図６に示す例では、２つのブロック７８）が予め定められたＮ（第２の個数、図６の場合、Ｎ＝２としている）以上存在するか否かを判断する。
【００５１】
ステップ１０６で、ＣＰＵ４０が否定判断した場合、処理は終了し、肯定判断した場合に、ステップ１０７で、ＣＰＵ４０は、フレアが発生することを示す警告であるフレア警告を表示する。この表示は、ＬＣＤ３８に表示するか、音声により可聴表示するようにしても良い。
【００５２】
このようにすることで、フレアが発生している事を示す、図６に示されるような輝度が高いブロックが直線上に存在した場合にフレアが発生していることを警告することができる。また、上述したように、図５に示される処理は、光量を測光するためのエリアセンサなどの新たなセンサを設けずに、撮像装置に必ず備わっている撮像素子を用いて輝度を測定しているため、新たなセンサを設けることなくフレアが発生していることを警告する撮像装置を提供することができる。
【００５３】
次に、図４で示した領域を用いて行われる処理を、図７、図８を用いて説明する。なお、図７には当該処理を示すフローチャートが示され、図８には、当該処理での抽出例が示されている。
【００５４】
まず、ＣＰＵ４０は、ステップ２０１で、領域Ａ内のブロックで、輝度が予め定められたＸ（第１の閾値）以上のブロックＤ（図８に示す例では、ブロック８０）を抽出する。
【００５５】
次に、ＣＰＵ４０は、ステップ２０２で、ブロックＤから矩形のいずれかの辺と平行な方向に存在する領域Ｂ内のブロックが存在するか否か判断する。矩形の辺と平行な方向は、上下方向及び左右方向であることは先ほどと同じである。
【００５６】
このステップ２０２で、ＣＰＵ４０が否定判断した場合、処理は終了する。一方、ステップ２０２で、ＣＰＵ４０が肯定判断した場合に、ステップ２０３で、ＣＰＵ４０は、ブロックＤから上下方向及び左右方向に存在する領域Ｂ内のブロックのうち、輝度が最も高いブロックＥ（図８に示す例では、ブロック８４）を抽出する。
【００５７】
次に、ＣＰＵ４０は、ステップ２０４で、ブロックＤの輝度が、ブロックＥの輝度以上かどうかを判断する。ＣＰＵ４０が否定判断した場合、処理は終了する。一方、ステップ２０４で、ＣＰＵ４０が肯定判断した場合に、ステップ２０５で、ＣＰＵ４０は、ブロックＤとブロックＥとを結ぶ直線上に存在し領域Ｃに接する領域Ｂ６４内のブロックＦ（図８に示す例では、ブロック８８）が存在するか否か判断する。
【００５８】
ステップ２０５で、ＣＰＵ４０が否定判断した場合、処理は終了する。一方、ステップ２０５で、ＣＰＵ４０が肯定判断した場合に、ＣＰＵ４０は、ステップ２０６で、ブロックＤとブロックＥとを結ぶ直線上に存在し領域Ｃに接する領域Ｂ内のブロックＦと、ブロックＥとの間に存在する全てのブロック（図８に示す例では、２つのブロック８６）の輝度が予め定められたＹ（第２の閾値）以上かどうかを判断する。
【００５９】
ステップ２０６で、ＣＰＵ４０が否定判断した場合、処理は終了し、肯定判断した場合に、ステップ２０７で、ＣＰＵ４０は、フレアが発生することを示す警告であるフレア警告を表示する。この表示は、ＬＣＤ３８に表示するか、音声により可聴表示するようにしても良い。
【００６０】
このようにすることで、フレアが発生していることを示す、図８に示されるような輝度が高いブロックが直線上に存在した場合、フレアが発生していることを警告することができる。また、上述したように、図７に示される処理は、光量を測光するためのエリアセンサなどの新たなセンサを設けずに、撮像装置に必ず備わっている撮像素子を用いて輝度を測定しているため、新たなセンサを設けることなくフレアが発生していることを警告する撮像装置を提供することができる。
【００６１】
以上説明したように、本実施の形態では、光学部材を介して結像される被写体像を撮像素子によって撮像し、光電変換して得られるアナログ画像信号をＡＤ変換してデジタル画像データを生成するデジタル画像データ生成手段（デジタル信号処理部３０を除いた図２に示される撮像系）と、前記デジタル画像データにより示される矩形の被写体像に基づき輝度を測定する（デジタル信号処理部３０）と、前記輝度測定手段により測定された輝度に基づいてフレアが発生しているか否かを判断するフレア判断手段（ＣＰＵ４０）と、前記フレア判断手段によりフレアが発生していると判断された場合に、フレアが発生していることを示す警告を表示する警告表示手段（ステップ１０７、２０７）と、しているため、撮像装置に必ず備わっている撮像素子を用いてフレアの有無の判断基準となる輝度を測定しているため、新たなセンサを設けることなくフレアが発生していることを警告する撮像装置を提供することができる。
【００６２】
また、本実施の形態の第１の態様（図３を参照して説明した態様）では、前記輝度測定手段は、前記デジタル画像データにより示される該被写体像の周辺部を含む第１の領域（領域Ａ）、及び該第１の領域に囲まれた第２の領域（領域Ｂ）に分割し、更に前記第１の領域、及び前記第２の領域をそれぞれ複数の小領域（ブロック）で区分して、該小領域毎の輝度を測定し、前記フレア判断手段は、前記第１の領域内の前記小領域で、輝度が予め定められた第１の閾値以上の第１の小領域を抽出する第１の抽出手段（ステップ１０１）と、前記第１の小領域に対して前記矩形のいずれかの辺と平行な方向に存在する前記第２の領域内の前記小領域のうち、輝度が最も高い第２の小領域を抽出する第２の抽出手段（ステップ１０３）と、前記第１の小領域の輝度が、前記第２の小領域の輝度以上か否かを判断する輝度判断手段（ステップ１０４）と、前記輝度判断手段が肯定判断した場合に、前記第１の小領域と前記第２の小領域とを結ぶ直線上に存在する前記第１の領域内の前記小領域のうち、輝度が予め定められた第２の閾値以上の小領域が予め定められた第１の個数以上存在するか否かを判断する第１の個数判断手段（ステップ１０５）と、前記第１の個数判断手段が肯定判断した場合に、前記直線上に存在する前記第２の領域内の前記小領域のうち、輝度が予め定められた第３の閾値以上の小領域が予め定められた第２の個数以上存在するか否かを判断する第２の個数判断手段（ステップ１０６）と、を更に有し、前記フレア判断手段は、前記第２の個数判断手段が肯定判断した場合に、フレアが発生していると判断する。
【００６３】
このように、領域Ａ、領域Ｂの２つの領域を用いてフレアの発生を判断するため、１つの領域のみを用いる場合に比較して、その判断精度を向上することができる。
【００６４】
また、本実施の形態の第２の態様（図４を参照して説明した態様）では、前記輝度測定手段は、前記デジタル画像データにより示される該被写体像の周辺部を含む第１の領域（領域Ａ）、該第１の領域に囲まれた第２の領域（領域Ｂ）、及び該第２の領域に囲まれた第３の領域（領域Ｃ）に分割し、更に前記第１の領域、前記第２の領域、及び前記第３の領域をそれぞれ複数の小領域（ブロック）で区分して、該小領域毎の輝度を測定し、前記フレア判断手段は、前記第１の領域内の前記小領域で、輝度が予め定められた第１の閾値以上の第１の小領域を抽出する第１の抽出手段（ステップ２０１）と、前記第１の小領域に対して前記矩形のいずれかの辺と平行な方向に存在する前記第２の領域内の前記小領域のうち、輝度が最も高い第２の小領域を抽出する第２の抽出手段（ステップ２０３）と、前記第１の小領域の輝度が、前記第２の小領域の輝度以上か否かを判断する第１の輝度判断手段（ステップ２０４）と、前記輝度判断手段が肯定判断した場合に、前記第１の小領域と前記第２の小領域とを結ぶ直線上に存在し前記第３の領域に接する前記第２の領域内の前記小領域と、前記第２の小領域との間に存在する全ての小領域の輝度が予め定められた第２の閾値以上か否かを判断する第２の輝度判断手段（ステップ２０６）と、を更に有し、前記フレア判断手段は、前記第２の輝度判断手段が肯定判断した場合に、フレアが発生していると判断する。
【００６５】
このように、領域Ａ、領域Ｂ、及び領域Ｃの３つの領域を用いてフレアの発生を判断するため、２つ以下の領域を用いる場合に比較して、その判断精度を向上することができる。
【００６６】
また、本実施の形態において、前記第１の領域（領域Ａ）は、前記撮像素子における撮影範囲外の領域として予め定められた領域であるとしている。
【００６７】
この場合、撮影範囲以外の領域を含めたより広範な範囲でフレアの発生を判断するため、その判断精度を更に向上することができる。
【００６８】
なお、上記実施の形態では、輝度が高いブロックが上記上下方向及び左右方向に直線上に存在する場合について説明したが、これに限らず、一例として図９に示されるブロック９０のように、斜め方向に輝度が所定輝度より高いブロックが存在した場合にもフレア警告を発生するようにしても良い。この場合、条規実施の形態に比較してより高いレベルでのフレアの発生を判断することができる。
【００６９】
また、上記第１、２、３の閾値として、例えば−１／６ＥＶが挙げられるが、この値は、設計者によりそのデジタルカメラの特性に応じて定められた値であっても良いし、ユーザにより適宜変更できる値であっても良い。同様に、第１、２の個数は、設計者によりそのデジタルカメラの特性に応じて定められた値であっても良いし、ユーザにより適宜変更できる値であっても良い。
【図面の簡単な説明】
【００７０】
【図１】実施の形態に係るデジタルカメラの外観上の構成を示す図である。
【図２】実施の形態に係るデジタルカメラの電気系の構成を示す図である。
【図３】実施の形態に係る各領域を示す図である（その１）。
【図４】実施の形態に係る各領域を示す図である（その２）。
【図５】実施の形態に係るフレア警告発生処理の流れを示すフローチャートである（その１）。
【図６】輝度が高いブロックの抽出例を示す図である（その１）。
【図７】実施の形態に係るフレア警告発生処理の流れを示すフローチャートである（その２）。
【図８】輝度が高いブロックの抽出例を示す図である（その２）。
【図９】斜め方向に輝度が所定輝度より高いブロックが存在する様子を示す図である。
【符号の説明】
【００７１】
１０  デジタルカメラ
２６  アナログ信号処理部
３０  デジタル信号処理部
４０  ＣＰＵ
Ａ、Ｂ、Ｃ  領域
７２、７６、８０、８４、８８  ブロック
Ｙ  輝度信号
【図１】
2008035255.tif 000003
【図２】
2008035255.tif 000004
【図５】
2008035255.tif 000005
【図７】
2008035255.tif 000006
【図３】
2008035255.tif 000007
【図４】
2008035255.tif 000008
【図６】
2008035255.tif 000009
【図８】
2008035255.tif 000010
【図９】
2008035255.tif 000011